(57)【特許請求の範囲】
【請求項１】
釣竿に取り付けられる釣糸ガイドであって、
環状のガイドリングを保持し、前記釣竿の延びる方向に対して第１の角度を成す保持部と、
該保持部に結合され、前記釣竿の延びる方向に対して前記第１の角度を成して後方へ延びる平板状の第１の支持部材、及び、該第１の支持部材に結合され、前記釣竿の延びる方向に対して前記第１の角度よりも小さい第２の角度を成して後方へ延びる平板状の第２の支持部材、を含む後方支持部と、
前記保持部の前面に結合され、前記釣竿の延びる方向に対して第３の角度を成して前方へ延びる平板状の第３の支持部材、及び、該第３の支持部材に結合され、前記釣竿の延びる方向に対して前記第３の角度よりも小さい第４の角度を成して前方へ延びる平板状の第４の支持部材、を含む前方支持部と、
を具備し、
前記第１の角度及び前記第３の角度はいずれも９０度よりも小さいことを特徴とする釣糸ガイド。
【請求項２】
前記第１の支持部材の下端部の幅が前記第２の支持部材の下端部の幅よりも大きい、請求項１に記載の釣糸ガイド。
【請求項３】
前記第３の支持部材の下端部の幅が前記第４の支持部材の下端部の幅よりも大きい、請求項１または請求項２に記載の釣糸ガイド。
【請求項４】
請求項１に記載の釣糸ガイドを製造するための方法であって、
前記第１の支持部材の下端部の幅が前記第２の支持部材の下端部の幅に比べて大きいほど、前記第２の角度の大きさに比べて相対的に大きくなるように前記第１の角度の大きさを定め、
前記第３の支持部材の下端部の幅が前記第４の支持部材の下端部の幅に比べて大きいほど、前記第４の角度の大きさに比べて相対的に大きくなるように前記第３の角度の大きさを定める、釣糸ガイドの製造方法。
【発明の詳細な説明】
【技術分野】
【０００１】
本発明は、釣竿に取り付けられ、釣糸を案内する釣糸ガイドに関する。
【背景技術】
【０００２】
従来技術に係る釣糸ガイドとして、特開２００８−１２５４６３号公報（特許文献１）に記載されたものが知られている。かかる釣糸ガイドは、釣糸を通して案内する環状のガイドリング、及び、このガイドリングを支持して釣竿に取り付けられるフレームにより構成される。このような釣糸ガイドにおいては、釣糸の絡みを抑えるために、ガイドリング及びフレームは、傾斜を付けて設けられている。
【先行技術文献】
【特許文献】
【０００３】
【特許文献１】特開２００８−１２５４６３号公報
【発明の概要】
【発明が解決しようとする課題】
【０００４】
上記従来技術に係る釣糸ガイドにおいては、フレームを傾斜させる程、釣糸が絡む事態をより効果的に防止することができる。ところが、フレームを傾斜させれば、必然的にガイドリングも傾斜するため、釣糸がガイドリングを通過することができる高さの範囲も減少して、釣糸がガイドリングを通過する際に抵抗が発生し易くなる。
そこで、本発明の実施形態によって、釣糸を滑らかに通過させつつ、釣糸の絡みを抑える釣糸ガイドを提供する。
【課題を解決するための手段】
【０００５】
本発明の一実施形態に係る釣糸ガイドは、釣竿に取り付けられる釣糸ガイドであって、環状のガイドリングを保持する保持部と、該保持部に結合され、前記釣竿の延びる方向に対して第１の角度を成して延びる第１の支持部材、及び、該第１の支持部材に結合され、前記釣竿の延びる方向に対して前記第１の角度よりも小さい第２の角度を成して延びる第２の支持部材、を含む支持部と、を具備する。
【発明の効果】
【０００６】
本発明の実施形態により、釣糸を滑らかに通過させつつ、釣糸の絡みを抑える釣糸ガイドを提供することができる。
【図面の簡単な説明】
【０００７】
【図１】図１は、本発明の実施形態１に係る釣糸ガイドの構成を示す模式図である。
【図２】図２は、図１に示した釣糸ガイドの構成を示す側面図である。
【図３】図３は、図１に示した釣糸ガイドの構成を示す前面図である。
【図４】図４は、図１に示した釣糸ガイドの構成を示す後面図である。
【図５（ａ）】図５（ａ）は、本発明の実施形態１に係る釣糸ガイドが糸の絡みを抑えるメカニズムの一例を概念的に示す模式図である。
【図５（ｂ）】図５（ｂ）は、本発明の実施形態１に係る釣糸ガイドが糸の絡みを抑えるメカニズムの一例を概念的に示す模式図である。
【図５（ｃ）】図５（ｃ）は、本発明の実施形態１に係る釣糸ガイドが糸の絡みを抑えるメカニズムの一例を概念的に示す模式図である。
【図５（ｄ）】図５（ｄ）は、本発明の実施形態１に係る釣糸ガイドが糸の絡みを抑えるメカニズムの一例を概念的に示す模式図である。
【図５（ｅ）】図５（ｅ）は、本発明の実施形態１に係る釣糸ガイドが糸の絡みを抑えるメカニズムの一例を概念的に示す模式図である。
【図５（ｆ）】図５（ｆ）は、本発明の実施形態１に係る釣糸ガイドが糸の絡みを抑えるメカニズムの一例を概念的に示す模式図である。
【図５（ｇ）】図５（ｇ）は、本発明の実施形態１に係る釣糸ガイドが糸の絡みを抑えるメカニズムの一例を概念的に示す模式図である。
【図５（ｈ）】図５（ｈ）は、本発明の実施形態１に係る釣糸ガイドが糸の絡みを抑えるメカニズムの一例を概念的に示す模式図である。
【図６】図６は、本発明の実施形態１に係る釣糸ガイド１００の屈曲部１４０ａの意義を概念的に説明する模式図である。
【図７】図７は、本発明の実施形態２に係る釣糸ガイドの構成を示す側面図である。
【図８】図８は、図７に示した釣糸ガイドの構成を示す前面図である。
【発明を実施するための形態】
【０００８】
以下、適宜図面を参照し、本発明の様々な実施形態を説明する。なお、図面において共通する構成要素に対しては同一の参照符号が付されている。
（実施形態１）
図１は、本発明の実施形態１に係る釣糸ガイドの構成を示す模式図である。図２は、図１に示した釣糸ガイドの構成を示す側面図である。図３は、図１に示した釣糸ガイドの構成を示す前面図である。図４は、図１に示した釣糸ガイドの構成を示す後面図である。
【０００９】
実施形態１に係る釣糸ガイド１００は、環状のガイドリング１１０を保持する保持部１２０と、保持部１２０に結合され、保持部１２０を支持する前側（トップ側）支持部１３０と、保持部１２０に結合され、保持部１２０を支持する後側（グリップ側）支持部１４０と、を主に含む。
【００１０】
ガイドリング１１０は、釣糸を通すことが可能な開口１１２を有する。ガイドリング１１０は、リング状に構成され、その内周面である開口１１２部分での摺動抵抗が小さい部材、例えば、チタン、ＳＵＳ、セラミックス等によって形成されている。
保持部１２０は、円形状の開口１２２を有し、この開口１２２にガイドリング１１０を収容して保持する。
【００１１】
前側支持部１３０は、例えば板状の材料により形成されたものであって、屈曲部１３０ａにおいて屈曲している。すなわち、前側支持部１３０は、保持部１２０の前面に結合され、釣竿Ｒに向かって延びる支持部材１３２と、この支持部材１３２に結合され、釣竿Ｒに沿って延びる固定部１３４と、を含む。
支持部材１３２には、例えば、軽量化のために開口１３６が形成されている。
固定部１３４は、釣竿Ｒとともに糸で巻かれた後、接着剤が付与されることにより、釣竿Ｒに固定される。糸は、マルチフィラメントが用いられ（モノフィラメントでもよい）、例えばナイロン等の合成樹脂繊維や木綿等の天然繊維から成る。また、接着剤は、例えばエポキシ系、アクリル系、ウレタン系等の合成樹脂接着剤であり、糸にも含浸される。
【００１２】
後側支持部１４０は、例えば板状の材料により形成されたものであって、屈曲部１４０ａ及び屈曲部１４０ｂにおいて屈曲している。すなわち、後側支持部１４０は、保持部１２０の下端部１２４に結合され、釣竿Ｒの延びる方向Ｄ（以下「方向Ｄ」という。）に対して第１の角度α1を成して釣竿Ｒに向かって延びる第１の支持部材１４２と、この第１の支持部材１４２に結合され、方向Ｄに対して第１の角度α1より小さい第２の角度α2を成して釣竿Ｒに向かって延びる第２の支持部材１４４と、この第２の支持部材１４４に結合され、釣竿Ｒに沿って延びる固定部１４６と、を含む。なお、角度α1は、第１の支持部材１４２と同一の方向に延びるガイドリング１１０が方向Ｄに対して成す角度、すなわち、ガイドリング１１０の傾斜角度に相当する。この角度α1は、釣糸がガイドリング１１０を滑らかに通過することが可能となるように定められる。
固定部１４６は、固定部１３４と同様に、釣竿Ｒとともに糸で巻かれた後、接着剤が付与されることにより、釣竿Ｒに固定される。糸及び接着剤としては、固定部１３４に関連して説明したものと同様のものを用いることができる。
【００１３】
後側支持部１４０の幅は、第１の支持部材１４２から固定部１４６に向かうに従って減少している。具体的には、第１の支持部材１４２の下端部の幅Ｗ1は、保持部１２０の下端部１２４の幅Ｗ0より小さく、第２の支持部材１４４の下端部の幅Ｗ2は、第１の支持部材１４２の下端部の幅Ｗ1より小さくなっている。
【００１４】
第１の支持部材１４２が方向Ｄに対して成す第１の角度α1の大きさは、第１の支持部材１４２の下端部の幅Ｗ1の大きさに比例して定められたものであり、第２の支持部材１４４が方向Ｄに対して成す第２の角度α2の大きさは、第２の支持部材１４４の下端部の幅Ｗ2の大きさに比例して定められたものである。具体的には、第１の支持部材１４２の下端部の幅Ｗ1は、第２の支持部材１４４の下端部の幅Ｗ2より「大きい」ため、第１の支持部材１４２の第１の角度α1は、第２の支持部材１４４の第２の角度α2より「大きく」なっている。逆の言い方をすれば、第２の支持部材１４４の下端部の幅Ｗ2は、第１の支持部材１４２の下端部の幅Ｗ1より「小さい」ため、第２の支持部材１４４の第２の角度α2は、第１の支持部材１４２の第１の角度α1より「小さく」なっている。
【００１５】
このように第１の支持部材１４２の第１の角度α1（第２の支持部材１４４の第２の角度α2）が第１の支持部材１４２の下端部の幅Ｗ1（第２の支持部材１４４の下端部の幅Ｗ2）に比例して定められている理由について、さらに図５を参照して説明する。図５（ａ）〜図５（ｇ）は、本発明の実施形態１に係る釣糸ガイドが糸の絡みを抑えるメカニズムの一例を概念的に示す模式図である。
【００１６】
まず、図５（ａ）に示すように、ガイドリング１１０を通過してガイドリング１１０の前方に位置する釣糸の一部Ｓ1が、風などの影響により緩んでＵ字状を形成して後方（矢印Ａ1に示す方向）に向かって移動する。なお、釣竿Ｒの先端部（トップ）に取り付けられた釣糸ガイド（トップガイド）を通過した糸がグリップ側に向かって移動して釣糸ガイド１００の後方支持部１４０の後方に回り込んだ後にさらに釣竿Ｒのトップに向かって移動した場合にも、図５（ａ）に示したようなＵ字状の部分Ｓ1が形成される現象が生ずることがある。このような現象は、仕掛けを投入（又は再投入）するときに起こる傾向がある。
図５（ｂ）に示すように、Ｕ字状を形成した部分（Ｕ字状部分）Ｓ1は、ガイドリング１１０及び後方支持部１４０の後方に回り込む。この後、釣糸の前方部分Ｓ0が前方に引っ張られることに伴い、Ｕ字状部分Ｓ1は、後方支持部１４０の固定部１４６に沿って前方（矢印Ａ2に示す方向）に向かって移動する。
【００１７】
図５（ｃ）に示すように、Ｕ字状部分Ｓ1は、後方支持部１４０の屈曲部１４０ｂに差し掛かる。第２の支持部材１４４の下端部の幅Ｗ2は、釣竿Ｒに固定される固定部１４６の幅に適合するように小さくなっているため、仮に、第２の支持部材１４４の傾斜が図５（ｃ）に示すものよりも急であれば、Ｕ字状部分Ｓ1は、屈曲部１４０ｂに引っ掛かる可能性がある。これが釣糸の絡みの一因となりうる。ところが、本実施形態に係る釣糸ガイド１００においては、第２の支持部材１４４が方向Ｄに対して成す角度α2は、第２の支持部材１４４の下端部の幅Ｗ2の大きさに比例して定められている。すなわち、角度α2は、第２の支持部材１４４の下端部の幅Ｗ2の大きさに合わせて、小さくなっている。これにより、Ｕ字状部分Ｓ1は、屈曲部１４０ｂに引っ掛かりにくく、矢印Ａ3に示す方向に向かって移動し易くなっている。これにより、図５（ｄ）に示すように、Ｕ字状部分Ｓ1は、矢印Ａ4に示す方向に向かって第２の支持部材１４４の上をスライドして進行する。
【００１８】
この後、Ｕ字状部分Ｓ1は、屈曲部１４０ａに差し掛かる。屈曲部１４０ａの前方には、第２の支持部材１４４よりも傾斜が急な第１の支持部材１４２が位置している。ところが、第１の支持部材１４２の下端部の幅Ｗ1が大きいため、Ｕ字状部分Ｓ1が屈曲部１４０ａに引っ掛かる可能性は低い。また、第２の支持部材１４４の上をスライドして屈曲部１４０ａに達したＵ字状部分Ｓ1は、矢印Ａ4に示す方向に向かう慣性を有する。これにより、Ｕ字状部分Ｓ1は、図５（ｅ）に示すように、第１の支持部材１４２の上をスライドして進む（矢印Ａ5）。
【００１９】
この後、図５（ｆ）に示すように、Ｕ字状部分Ｓ1は、矢印Ａ5に示す方向に向かって保持部１２０の上をスライドして進行した後、図５（ｇ）に示すように、保持部１２０の前方に出ることによって解かれる。これにより、釣糸の絡みが抑えられる。
【００２０】
なお、図５（ａ）〜図５（ｇ）は、釣糸の１つのＵ字状部分Ｓ1がガイドリング１１０及び後方支持部１４０の第２の支持部材１４４の後方に回り込む場合を例示したが、本実施形態による効果は、図５（ｈ）に示すように複数のＵ字状部分（例えばＵ字状部分Ｓ1〜Ｓ3）がガイドリング１１０及び後方支持部１４０の第２の支持部材１４４の後方に回り込んだ場合においても同様に得られるものである。
【００２１】
このように、第２の支持部材１４４の下端部の幅Ｗ2は、釣竿Ｒに取り付け可能なサイズに形成する必要のある固定部１４６の大きさに適合するように、小さく形成されているため、第２の支持部材１４４が釣竿Ｒの延びる方向に対して大きな傾斜を有するように形成されてしまうと、釣糸が第２の支持部材１４４の下端部（すなわち屈曲部１４０ｂ）に引っ掛かる可能性がある。よって、本実施形態では、第２の支持部材１４４の傾斜角度α2は、この第２の支持部材１４４の下端部の幅Ｗ2が小さいことに応じて、小さく定められている。
また、第１の支持部材１４２の下端部の幅Ｗ1は、第２の支持部材１４４の下端部の幅Ｗ2よりも大きいため、釣糸が第１の支持部材１４２の下端部（すなわち屈曲部１４０ａ）に引っ掛かる可能性は低い。また、第１の支持部材１４２は、第２の支持部材１４４の上方に隣接しているので、第２の支持部材１４４の上をスライドして第１の支持部材１４２に至った釣糸は、慣性により第１の支持部材１４２の上を進行しようとする。よって、本実施形態では、第１の支持部材１４２の傾斜角度α1は、この第１の支持部材１４２の下端部の幅Ｗ1が大きいことに応じて、大きく定められている。
【００２２】
次に、後側支持部１４０が備える屈曲部１４０ａの別の意義について、さらに図６を参照して説明する。図６は、本発明の実施形態１に係る釣糸ガイド１００の屈曲部１４０ａの意義を概念的に説明する模式図である。図６（ａ）は、従来技術に係る釣糸ガイドの一部分を簡略化して示す側面図であり、図６（ｂ）は、図１に示した釣糸ガイド１００の一部分を簡略化して示す側面図である。
【００２３】
図６（ａ）に示すように、従来技術に係る釣糸ガイド１０は、ガイドリング２０を保持する保持部３０と、この保持部３０に結合され、この保持部３０を支持する支持部４０と、を含む。支持部４０は、保持部３０に結合され、全体的に湾曲しながら釣竿Ｒに向かって延びる支持部材４２と、この支持部材４２に結合され、釣竿Ｒに沿って延びる固定部４４と、を含む。
【００２４】
図６（ａ）と図６（ｂ）とを比較すれば明らかなように、固定部との結合部分において支持部材（図６（ａ）では「支持部材４２」、図６（ｂ）では「第２の支持部材１４４」）が方向Ｄに対して成す角度は、ともにα2である。また、ガイドリング（図６（ａ）では「ガイドリング２０」、図６（ｂ）では「ガイドリング１１０」）が方向Ｄに対して成す角度もまた、ともにα1である。
ところが、本実施形態に係る釣糸ガイド１００では、後側支持部１４０を屈曲部１４０ａにおいて屈曲させることによって、後側支持部１４０の長さを短く抑えつつ角度α1及びα2を実現することができる。これにより、本実施形態に係る釣糸ガイド１００は、従来技術に係る釣糸ガイド１０に比べて、大幅に低背位化を図ることができる。また、本実施形態に係る釣糸ガイド１００は、第１の支持部材１４２及び第２の支持部材１４４のうちの少なくとも一方の長さを適宜定めることにより、所望の角度α1及びα2を実現しながら、ガイドリング１１０の高さを簡単に定めることができる。
【００２５】
なお、上述した保持部１２０、前側支持部１３０及び後側支持部１４０は、例えば、チタン、ＳＵＳ、セラミックスや樹脂等の材料を用いて一体的に形成することができる。
【００２６】
また、本実施形態では、前側支持部１３０の支持部材１３２、並びに、後側支持部１４０の第１の支持部材１４２及び第２の支持部材１４４が直線状に延びる断面形状を有する場合を例示したが、これらの部材は、湾曲した断面形状を有するように形成されてもよい。
【００２７】
さらにまた、本実施形態では、後側支持部１４０が１個の屈曲部１４０ａを形成して第１の支持部材１４２及び第２の支持部材１４４という２つの支持部材を有する場合を例示したが、後側支持部１４０は、ｎ個の屈曲部を形成して第１〜第（ｎ＋１）個の支持部材を有するように形成されてもよい（但し、ｎは２以上の自然数）。
【００２８】
（実施形態２）
図７は、本発明の実施形態２に係る釣糸ガイドの構成を示す側面図である。図８は、図７に示した釣糸ガイドの構成を示す前面図である。
【００２９】
本実施形態に係る釣糸ガイド２００においては、上述した実施形態１に係る釣糸ガイド１００とは反対に、前側（トップ側）支持部２１０が、方向Ｄに対して相互に異なる角度を成して延びる２つの支持部材、すなわち、第１の支持部材２１２及び第２の支持部材２１４を有し、後側（グリップ側）支持部２２０が１つの支持部材２２２のみを有する。
【００３０】
具体的には、前側支持部２１０は、例えば板状の材料により形成されたものであって、屈曲部２１０ａ及び屈曲部２１０ｂにおいて屈曲している。すなわち、前側支持部２１０は、保持部１２０の前面に結合され、方向Ｄに対して第１の角度α3を成して釣竿Ｒに向かって延びる第１の支持部材２１２と、この第１の支持部材２１２に結合され、方向Ｄに対して第１の角度α3より小さい第２の角度α4を成して釣竿Ｒに向かって延びる第２の支持部材２１４と、この第２の支持部材２１４に結合され、釣竿Ｒに沿って延びる固定部２１６と、を含む。
【００３１】
第１の支持部材２１２が方向Ｄに対して成す第１の角度α3の大きさは、第１の支持部材２１２の下端部の幅Ｗ3の大きさに比例して定められたものであり、第２の支持部材２１４が方向Ｄに対して成す第２の角度α4の大きさは、第２の支持部材２１４の下端部の幅Ｗ4の大きさに比例して定められたものである。具体的には、第１の支持部材２１２の下端部の幅Ｗ3は、第２の支持部材２１４の下端部の幅Ｗ4より「大きい」ため、第１の支持部材２１２の第１の角度α3は、第２の支持部材２１４の第２の角度α4より「大きく」なっている。逆の言い方をすれば、第２の支持部材２１４の下端部の幅Ｗ4は、第１の支持部材２１２の下端部の幅Ｗ3より「小さい」ため、第２の支持部材２１４の第２の角度α4は、第１の支持部材２１２の第１の角度α3より「小さく」なっている。
【００３２】
一方、後側支持部２２０は、例えば板状の材料により形成されたものであって、屈曲部２２０ａにおいて屈曲している。すなわち、後側支持部２２０は、保持部１２０の下端部１２４に結合され、釣竿Ｒに向かって延びる支持部材２２２と、この支持部材２２２に結合され、釣竿Ｒに沿って延びる固定部２２４と、を含む。
【００３３】
本実施形態に係る釣糸ガイド２００では、ガイドリング１１０の「後方」に位置する釣糸の一部が風などの影響により緩んでＵ字状を形成し、このＵ字状部分がガイドリング１１０及び前側支持部２１０の「前方」に回り込んだ場合に、前側支持部２１０の第１の支持部材２１２及び第２の支持部材２１４が、それぞれ、上述した実施形態１における後側支持部１４０の第１の支持部材１４２及び第２の支持部材１４４と同様に機能して、釣糸の絡みが抑えられる。
【００３４】
なお、本実施形態では、前側支持部２１０が１個の屈曲部２１０ａを形成して第１の支持部材２１２及び第２の支持部材２１４という２つの支持部材を有する場合を例示したが、前側支持部２１０は、ｎ個の屈曲部を形成して第１〜第（ｎ＋１）個の支持部材を有するように形成されてもよい（但し、ｎは２以上の自然数）。
【００３５】
（実施形態３）
上述した実施形態１に係る釣糸ガイド１００と実施形態２に係る釣糸ガイド２００とを組み合わせたものが実施形態３に係る釣糸ガイドである。すなわち、本実施形態に係る釣糸ガイドは、前側支持部として、実施形態２における前側支持部２１０を用い、後側支持部として、実施形態１における後側支持部１４０を用いたものである。
本実施形態に係る釣糸ガイドによれば、ガイドリング１１０の「前方」に位置する釣糸の一部が形成したＵ字状部分がガイドリング１１０及び後側支持部の「後方」に回り込んだ場合、及び、ガイドリング１１０の「後方」に位置する釣糸の一部が形成したＵ字状部分がガイドリング１１０及び前側支持部の「前方」に回り込んだ場合の両方に対応することができる。
【符号の説明】
【００３６】
１００、２００  釣糸ガイド
１１０  ガイドリング
１２０  保持部
１３０、２１０  前側支持部
１４０、２２０  後側支持部
１３０ａ、１４０ｂ、２１０ｂ、２２０ａ  屈曲部
１４０ａ、２１０ａ  屈曲部
１３２、２２２  支持部材
１４２、２１２  第１の支持部材
１４４、２１４  第２の支持部材
【図１】
0006267248.tif 000002
【図２】
0006267248.tif 000003
【図３】
0006267248.tif 000004
【図４】
0006267248.tif 000005
【図５（ａ）】
0006267248.tif 000006
【図５（ｂ）】
0006267248.tif 000007
【図５（ｃ）】
0006267248.tif 000008
【図５（ｄ）】
0006267248.tif 000009
【図５（ｅ）】
0006267248.tif 000010
【図５（ｆ）】
0006267248.tif 000011
【図５（ｇ）】
0006267248.tif 000012
【図５（ｈ）】
0006267248.tif 000013
【図６】
0006267248.tif 000014
【図７】
0006267248.tif 000015
【図８】
0006267248.tif 000016